(57)【特許請求の範囲】
【請求項１】
第１コネクタを有した筐体と、
前記第１コネクタに接続可能な第２コネクタを有し前記筐体に挿入可能な挿入体と、
前記筐体及び挿入体の一方に設けられた第１ガイド機構と、
前記筐体及び挿入体の他方に設けられ、前記第１及び第２コネクタが接続されるように前記第１ガイド機構と協働で前記筐体への前記挿入体の挿入をガイドする第２ガイド機構と、を備え、
前記第１ガイド機構は、ガイド筒を含み、
前記第２ガイド機構は、前記ガイド筒に挿入可能なガイドピン、前記ガイドピンを包囲する固定筒、前記固定筒の軸方向に貫通した孔を有し前記軸方向に所定範囲を移動可能に前記固定筒に保持された可動部材、を含み、
前記ガイド筒は、前記ガイドピンが挿入された際に前記可動部材を押す、電子装置。
【請求項２】
第１コネクタを有した筐体と、
前記第１コネクタに接続可能な第２コネクタを有し前記筐体に挿入可能な挿入体と、
前記筐体及び挿入体の一方に設けられた第１ガイド機構と、
前記筐体及び挿入体の他方に設けられ、前記第１及び第２コネクタが接続されるように前記第１ガイド機構と協働で前記筐体への前記挿入体の挿入をガイドする第２ガイド機構と、を備え、
前記第１ガイド機構は、ガイド筒、前記ガイド筒の軸方向に貫通した孔を有し前記軸方向に所定範囲を移動可能に前記ガイド筒に保持された可動部材、を含み、
前記第２ガイド機構は、前記ガイド筒に挿入可能なガイドピン、を含み、
前記ガイドピンは、前記ガイド筒に挿入された際に前記可動部材を押す、電子装置。
【請求項３】
前記可動部材は、該可動部材が押される方向と逆方向にバネにより付勢されている、請求項１又は２の電子装置。
【発明の詳細な説明】
【技術分野】
【０００１】
本発明は、電子装置に関する。
【背景技術】
【０００２】
挿入体を挿入、抜去可能な筐体を備えた電子装置が知られている。特許文献１には、このような電子装置に関連した技術が開示されている。
【先行技術文献】
【特許文献】
【０００３】
【特許文献１】特開平５−２９１７７１号公報
【発明の概要】
【発明が解決しようとする課題】
【０００４】
このような挿入体及び筐体には、それぞれ互いに接続可能なコネクタが設けられている。両コネクタは、挿入体を筐体に挿入した際に接続される。筐体に挿入体を挿入する際の挿入速度が速い場合、両コネクタが接続された際に挿入体及び筐体に衝撃が加わる恐れがある。衝撃が大きい場合、チャタリングが発生したり、又はコネクタの端子が変形したりする恐れがある。
【０００５】
本発明は、筐体への挿入体の挿入速度を抑制する電子装置を提供することを目的とする。
【課題を解決するための手段】
【０００６】
本明細書に開示の電子装置は、第１コネクタを有した筐体と、前記第１コネクタに接続可能な第２コネクタを有し前記筐体に挿入可能な挿入体と、前記筐体及び挿入体の一方に設けられた第１ガイド機構と、前記筐体及び挿入体の他方に設けられ、前記第１及び第２コネクタが接続されるように前記第１ガイド機構と協働で前記筐体への前記挿入体の挿入をガイドする第２ガイド機構と、を備え、前記第１ガイド機構は、ガイド筒を含み、前記第２ガイド機構は、前記ガイド筒に挿入可能なガイドピン、前記ガイドピンを包囲する固定筒、前記固定筒の軸方向に貫通した孔を有し前記軸方向に所定範囲を移動可能に前記固定筒に保持された可動部材、を含み、前記ガイド筒は、前記ガイドピンが挿入された際に前記可動部材を押す。
【０００７】
本明細書に開示の電子装置は、第１コネクタを有した筐体と、前記第１コネクタに接続可能な第２コネクタを有し前記筐体に挿入可能な挿入体と、前記筐体及び挿入体の一方に設けられた第１ガイド機構と、前記筐体及び挿入体の他方に設けられ、前記第１及び第２コネクタが接続されるように前記第１ガイド機構と協働で前記筐体への前記挿入体の挿入をガイドする第２ガイド機構と、を備え、前記第１ガイド機構は、ガイド筒、前記ガイド筒の軸方向に貫通した孔を有し前記軸方向に所定範囲を移動可能に前記ガイド筒に保持された可動部材、を含み、前記第２ガイド機構は、前記ガイド筒に挿入可能なガイドピン、を含み、前記ガイドピンは、前記ガイド筒に挿入された際に前記可動部材を押す。
【発明の効果】
【０００８】
筐体への挿入体の挿入速度を抑制する電子装置を提供できる。
【図面の簡単な説明】
【０００９】
【図１】図１Ａは、実施例１の電子装置の説明図であり、図１Ｂは、実施例１の電子装置の変形例である。
【図２】図２は、実施例１の電子装置内の構造を示した図である。
【図３】図３は、ガイド機構の斜視図である。
【図４】図４Ａ、４Ｂは、ガイド機構Ｇ１、Ｇ２の説明図である。
【図５】図５Ａは、図４Ａでのガイド機構の拡大図、図５Ｂは、図４Ｂでのガイド機構の拡大図である。
【図６】図６は、実施例２の電子装置の内部構造を示した図である。
【図７】図７は、ガイド機構Ｇ１ａの斜視図である。
【図８】図８Ａ、８Ｂは、ガイド機構の状態の説明図である。
【図９】図９Ａは、図８Ａでのガイド機構の拡大図、図９Ｂは、図８Ｂでのガイド機構の拡大図である。
【図１０】図１０は、実施例３の電子装置の内部構造を示した図である。
【図１１】図１１は、ガイド機構の拡大図である。
【図１２】図１２は、ガイド機構の説明図である。
【図１３】図１３は、実施例３の電子装置の変形例の説明図である。
【図１４】図１４Ａ、１４Ｂは、実施例４の電子装置の内部構造の説明図である。
【図１５】図１５Ａ、１５Ｂは、実施例４の電子装置の変形例の内部構造の説明図である。
【発明を実施するための形態】
【００１０】
以下に複数の実施例について説明する。
【実施例１】
【００１１】
図１Ａは、実施例１の電子装置の説明図である。実施例１の電子装置は、複数の挿入体１０、複数の挿入体１０を収納可能な筐体８０、を含む。筐体８０は、複数の挿入体１０を縦向きに収納する。図１Ｂは、実施例１の電子装置の変形例である。実施例１の電子装置の変形例においては、筐体８０Ａは、複数の挿入体１０を横向きに収納可能である。以下には、図１Ａに示した電子装置を例に説明する。
【００１２】
図２は、実施例１の電子装置内の構造を示した図である。図２は、筐体８０内に挿入体１０が挿入されている途中の状態を示している。挿入体１０は、平板状で硬質のプリント基板１１、プリント基板１１に取付けられた取付部材１３、取付部材１３に設けられたレバー１５、プリント基板１１に複数実装されたコネクタ１８、等を含む。プリント基板１１には、不図示の電子部品が実装されている。筐体８０は、筐体８０の背面側に配置されたバックプレーン８１、上壁部８４、底壁部８６を含む。挿入体１０が挿入される筐体８０の挿入口の上端縁にはフレーム８３が設けられている。挿入口の下端縁にはフレーム８５が設けられている。レバー１５は、フレーム８３、取付部材１３が当接した状態でフレーム８３をロックする。フレーム８３には、ガイドピン１４が挿入される穴が形成されている。上壁部８４、底壁部８６には、プリント基板１１の移動をガイドするガイドレールＲが設けられている。バックプレーン８１には、複数のコネクタ８８が実装されている。挿入体１０を筐体８０に挿入した際に、コネクタ１８とコネクタ８８とが嵌合する。これにより、プリント基板１１とバックプレーン８１とが電気的に接続される。
【００１３】
プリント基板１１には、ガイド筒３０が設けられ、バックプレーン８１にはガイドピン５０が設けられている。挿入体１０が筐体８０の奥に挿入された際に、ガイドピン５０はガイド筒３０に挿入される。これにより、挿入体１０の筐体８０への挿入をガイドする。同様に、ガイドピン１４がフレーム８３に形成された穴に挿入される。また、プリント基板１１にはガイド機構Ｇ１が設けられており、バックプレーン８１にはガイド機構Ｇ２が設けられている。ガイド機構Ｇ１、Ｇ２も、協働で挿入体１０の筐体８０への挿入をガイドする機能を有している。
【００１４】
図３は、ガイド機構Ｇ２の斜視図である。図４Ａ、４Ｂは、ガイド機構Ｇ１、Ｇ２の説明図である。図５Ａは、図４Ａでのガイド機構Ｇ２の拡大図、図５Ｂは、図４Ｂでのガイド機構Ｇ１、Ｇ２の拡大図である。ガイド機構Ｇ１は、ガイド筒３０を含む。ガイド筒３０は、略角筒状である。ガイド筒３０の先端部は、プリント基板１１の基端部から突出している。ガイド機構Ｇ２は、ガイドピン５０、固定筒６０、可動部材７０を含む。ガイドピン５０は、ネジＮによりバックプレーン８１に固定されている。ガイドピン５０は、挿入体１０に向けて延びている。ガイドピン５０は、先端が略円錐状である。固定筒６０は、ガイドピン５０の一部を包囲するようにしてバックプレーン８１に固定されている。固定筒６０は略円筒状である。固定筒６０からガイドピン５０、可動部材７０の先端が露出している。可動部材７０は、略円筒状であり、ガイドピン５０と固定筒６０との間でガイドピン５０、固定筒６０の軸方向に所定範囲を移動自在に保持されている。
【００１５】
図５Ａに示すように、可動部材７０は、筒部７１、筒部７１の基端側に設けられたフランジ部７３、を含む。固定筒６０は、円筒状の側壁部６１、バックプレーン８１に固定された基端壁部６２、筒部７１とガイドピン５０とが嵌合した孔を有した先端壁部６３、を含む。フランジ部７３が、先端壁部６３に当接することにより、可動部材７０の軸方向での移動範囲が制限されている。フランジ部７３には、軸方向に延びた孔７４が形成されている。ガイドピン５０は筒部７１を貫通している。
【００１６】
固定筒６０の内部空間Ｃ内には付勢部材Ｓが設けられている。付勢部材Ｓは、コイル状で金属製のスプリングである。付勢部材Ｓは、ガイドピン５０の根元に巻きつけられている。付勢部材Ｓは、可動部材７０を挿入体１０に向けて付勢している。可動部材７０は、後述するがガイド筒３０により付勢部材Ｓの付勢力に抗して押される。従って、付勢部材Ｓは、ガイド筒３０により可動部材７０が押される方向とは逆方向に可動部材７０を付勢している。ガイドピン５０は略円柱状であり、固定筒６０、可動部材７０は略円筒状であるが、ガイドピン５０が略角柱状であり、固定筒６０、可動部材７０が略角筒状であってもよい。
【００１７】
挿入体１０を筐体８０の奥まで挿入しようとすると、最初にガイド筒３０内にガイドピン５０が挿入される。これにより、挿入体１０の筐体８０への挿入の方向がガイドされる。次に、ガイド筒３０が可動部材７０に当接して、付勢部材Ｓの付勢力に抗して可動部材７０を押す。付勢部材Ｓが圧縮されて、図４Ｂに示すように、コネクタ１８、８８が嵌合する。このように、コネクタ１８、８８が嵌合する前に、ガイド筒３０は可動部材７０を押す。これにより、挿入体１０の挿入速度が抑制されて、コネクタ１８、８８が嵌合する。
【００１８】
挿入体１０の挿入速度が抑制される理由について説明する。フランジ部７３には孔７４が形成されている。図５Ａの状態から可動部材７０がガイド筒３０に押されると、内部空間Ｃは、図５Ｂに示すように、フランジ部７３により２つの空間Ｃ１、Ｃ２に仕切られる。空間Ｃ１は、挿入体１０側の空間であり、空間Ｃ２はバックプレーン８１側の空間である。可動部材７０がガイド筒３０により押されることにより、空間Ｃ２の空間が圧縮されて空間Ｃ２間の気圧が高まる。また、空間Ｃ１が大きくなることにより、空間Ｃ１は負圧となる。このように空間Ｃ１、Ｃ２の間での気圧差が生じる。この気圧差により、可動部材７０はバックプレーン８１側に移動しにくくなる。これにより、挿入体１０の筐体８０への挿入速度が低減される。尚、空間Ｃ２内の空気の一部は、バックプレーン８１の背面側に抜け、また、孔７４を介して空間Ｃ１へと流れる。
【００１９】
このようにして挿入体１０が筐体８０に勢いよく挿入されることが防止される。従って、挿入時に挿入体１０、筐体８０に衝撃が発生することが防止される。例えば、挿入体１０を筐体８０に勢いよく挿入して挿入体１０、筐体８０に衝撃が発生した場合、既に筐体８０に収納されている他の挿入体１０のコネクタの端子と、筐体８０のコネクタとの端子との間でチャタリングが発生する恐れがある。また、コネクタ８８の端子が、筐体８０の端子が挿入可能な挿入体１０の挿入穴の縁に当接して、コネクタ８８の端子が塑性変形する恐れもある。本実施例のように、ガイド機構Ｇ１、Ｇ２を設けることにより、上記のような問題を抑制できる。
【００２０】
また、ガイド機構Ｇ１、Ｇ２は、筐体８０への挿入体１０の挿入をガイドするガイド筒３０及びガイドピン５０を利用することにより、挿入体１０の挿入速度を低減している。よって、部品点数が増大することが抑制されている。
【００２１】
挿入体１０が筐体８０から抜去されると、ガイド筒３０は可動部材７０から退避し、付勢部材Ｓは可動部材７０を図５Ａに示した初期の位置に復帰させる。これにより、挿入体１０の抜去後再度挿入体１０を筐体８０に挿入した場合であっても、挿入体１０の挿入速度は低減される。
【００２２】
尚、付勢部材Ｓは、ガイド筒３０が可動部材７０を押す方向とは逆方向に可動部材７０を付勢しているので、付勢部材Ｓの付勢力によっても、挿入体１０の挿入速度が低減されている。また、付勢部材Ｓは挿入体１０を抜去する方向に付勢しているので、挿入体１０の抜去作業をアシストしている。
【実施例２】
【００２３】
図６は、実施例２の電子装置の内部構造を示した図である。尚、実施例１と同一の構造については、同一の符号を付することにより重複する説明を省略する。プリント基板１１にはガイド機構Ｇ１ａが設けられ、バックプレーン８１にはガイド機構Ｇ２ａが設けられている。
【００２４】
図７は、ガイド機構Ｇ１ａの斜視図である。図８Ａ、８Ｂは、ガイド機構Ｇ１ａ、Ｇ２ａの状態の説明図である。図９Ａは、図８Ａでのガイド機構Ｇ１ａの拡大図、図９Ｂは、図８Ｂでのガイド機構Ｇ１ａ、Ｇ２ａの拡大図である。ガイド機構Ｇ１ａは、ガイド筒３０ａ、可動部材７０ａを含む。ガイド機構Ｇ２ａは、ガイドピン５０を含む。ガイド筒３０ａは、可動部材７０ａを軸方向に所定範囲を移動可能に保持している。図９Ａに示すように、可動部材７０ａは、略円柱状の円柱部７１ａ、円柱部７１ａの基端側に設けられたフランジ部７３ａ、を含む。ガイド筒３０ａは、内部空間Ｃａを画定する大筒部３１ａ、大筒部３１ａよりも細い小筒部３３ａ、を含む。フランジ部７３ａが、大筒部３１ａと小筒部３３ａとの段差を画定する壁に当接することにより、可動部材７０ａの軸方向での移動範囲が制限されている。フランジ部７３ａには、軸方向に延びた孔７４ａが形成されている。ガイド筒３０ａの内部空間Ｃａ内には付勢部材Ｓが設けられている。付勢部材Ｓは、可動部材７０ａをバックプレーン８１に向けて付勢している。付勢部材Ｓは、ガイドピン５０により可動部材７０ａが押される方向とは逆方向に可動部材７０ａを付勢している。
【００２５】
挿入体１０ａを筐体８０ａの奥まで挿入しようとすると、ガイドピン５０が可動部材７０ａを押して、ガイドピン５０がガイド筒３０ａに挿入される。次に、図９Ｂに示すように、コネクタ１８、８８が嵌合する。このように、コネクタ１８、８８が嵌合する前に、ガイドピン５０は可動部材７０ａを押す。これにより、挿入体１０ａの挿入速度が減速されて、コネクタ１８、８８が嵌合する。
【００２６】
挿入体１０ａの挿入速度が低減される理由は、図９Ｂに示すように、空間Ｃａ１、Ｃａ２の間での気圧差に基づいて、ガイドピン５０によって可動部材７０ａが押される方向とは逆方向に可動部材７０ａが移動しにくくなるからである。これにより、挿入体１０ａが筐体８０ａに勢いよく挿入されることが防止される。
【００２７】
ガイド機構Ｇ１ａ、Ｇ２ａは、筐体８０への挿入体１０ａの挿入をガイドするガイド筒３０ａ及びガイドピン５０を利用することにより、挿入体１０ａの挿入速度を低減している。よって、部品点数が増大することが抑制されている。
【００２８】
挿入体１０ａが筐体８０ａから抜去された際には、付勢部材Ｓは可動部材７０ａを図９Ａに示した初期の位置に復帰させる。また、付勢部材Ｓは、ガイドピン５０が可動部材７０ａを押す方向とは逆方向に可動部材７０ａを付勢しているので、付勢部材Ｓの付勢力によっても挿入体１０ａの挿入速度が低減されている。また、付勢部材Ｓは挿入体１０ａを抜去する方向に付勢しているので、挿入体１０ａの抜去作業をアシストしている。
【実施例３】
【００２９】
図１０は、実施例３の電子装置の内部構造を示した図である。取付部材１３ｂには、ガイド機構Ｇ２ｂが設けられている。フレーム８３ｂにはガイド機構Ｇ１ｂが設けられている。図１１は、ガイド機構Ｇ２ｂの拡大図である。図１２は、ガイド機構Ｇ１ｂ、Ｇ２ｂの説明図である。
【００３０】
ガイド機構Ｇ２ｂは、ガイドピン１４、固定筒６０ｂ、可動部材７０ｂ、付勢部材Ｓを含む。ガイド機構Ｇ１ｂは、ガイド筒３０ｂを含む。ガイドピン１４がガイド筒３０ｂに挿入されると、ガイド筒３０ｂと可動部材７０ｂとが当接し、可動部材７０ｂは付勢部材Ｓの付勢力に逆らってガイド筒３０ｂに押される。このようなガイド機構Ｇ１ｂ、Ｇ２ｂによっても、挿入体１０ｂが筐体８０ｂに勢いよく挿入されることが防止される。また、部品点数の増大も抑制されている。
【００３１】
図１３は、実施例３の電子装置の変形例の説明図である。
挿入体１０ｃ側にガイド機構Ｇ２ｃが設けられており、筐体８０ｃ側にガイド機構Ｇ１ｃが設けられている。ガイド機構Ｇ２ｃはガイドピン１４を含む。ガイド機構Ｇ１ｃは、ガイド筒３０ｃ、可動部材７０ｃ、付勢部材Ｓを含む。可動部材７０ｃはガイド筒３０ｃに軸方向に所定範囲を移動可能に保持されている。可動部材７０ｃは、付勢部材Ｓにより挿入体１０ｃ側に付勢されている。ガイドピン１４が可動部材７０ｃを押すことにより、挿入体１０ｃの挿入速度が低減される。また、部品点数の増大も抑制されている。
【実施例４】
【００３２】
図１４Ａ、１４Ｂは、実施例４の電子装置の内部構造の説明図である。
筐体８０ｄのバックプレーン８１には緩衝機構Ａｄが設けられている。緩衝機構Ａｄは、挿入体１０ｄの筐体８０ｄへの挿入をガイドする機能は有していない。可動部材７０ｄは、固定筒６０ｄに軸方向に所定範囲を移動可能に設けられている。可動部材７０ｄの先端は、固定筒６０ｄから突出している。可動部材７０ｄ、固定筒６０ｄの内部構造は、実施例２の電子装置に採用されたガイド機構Ｇ１ａと略同様の構造である。図１４Ｂに示すように、挿入体１０ｄが筐体８０ｄの奥まで挿入されることにより、挿入体１０ｄのコネクタ１８の端部が可動部材７０ｄを押す。これにより、挿入体１０ｄの挿入速度が低減される。
【００３３】
図１５Ａ、１５Ｂは、実施例４の電子装置の変形例の内部構造の説明図である。挿入体１０ｅのプリント基板１１の端部に緩衝機構Ａｅが設けられている。緩衝機構Ａｅは、挿入体１０ｅの筐体８０ｅへの挿入をガイドする機能は有していない。可動部材７０ｅは、固定筒６０ｅに軸方向に所定範囲を移動可能に設けられている。可動部材７０ｅの先端は、固定筒６０ｅから突出している。固定筒６０ｅ、可動部材７０ｅは、固定筒６０ｄ、可動部材７０ｄと略同様の構造である。図１５Ｂに示すように、挿入体１０ｅが筐体８０ｅの奥まで挿入されることにより、バックプレーン８１が可動部材７０ｅを押す。これにより、挿入体１０ｅの挿入速度が低減される。
【００３４】
以上本発明の好ましい一実施形態について詳述したが、本発明は係る特定の実施形態に限定されるものではなく、特許請求の範囲に記載された本発明の要旨の範囲内において、種々の変形・変更が可能である。
【符号の説明】
【００３５】
１０〜１０ｅ  挿入体
１１  プリント基板
１８、８８  コネクタ
３０〜３０ｃ  ガイド筒
５０  ガイドピン
６０、６０ｂ、６０ｄ、６０ｅ  固定筒
７０〜７０ｅ  可動部材
７４  孔
８０〜８０ｅ  筐体
８１  バックプレーン
Ｇ１〜Ｇ１ｃ、Ｇ２〜Ｇ２ｃ  ガイド機構
Ｓ  付勢部材
【図１】
0005500025.tif 000002
【図２】
0005500025.tif 000003
【図３】
0005500025.tif 000004
【図４】
0005500025.tif 000005
【図５】
0005500025.tif 000006
【図６】
0005500025.tif 000007
【図７】
0005500025.tif 000008
【図８】
0005500025.tif 000009
【図９】
0005500025.tif 000010
【図１０】
0005500025.tif 000011
【図１１】
0005500025.tif 000012
【図１２】
0005500025.tif 000013
【図１３】
0005500025.tif 000014
【図１４】
0005500025.tif 000015
【図１５】
0005500025.tif 000016